(57)【特許請求の範囲】
【請求項１】
軸線方向に直線的に移動可能な操作軸と、この操作軸の一端部に当接されこの操作軸によって直線的に移動可能に配設された可動部材と、この可動部材を初期位置へ復帰させるように付勢する復帰用バネと、前記可動部材を移動可能に収納する収納部を有するケースと、前記可動部材の移動によって操作される検出手段とを備え、
前記収納部には、前記可動部材の移動をガイドするガイド部が形成され、前記操作軸と前記可動部材との間には、前記操作軸と前記可動部材との当接部を支点として前記可動部材を前記ガイド部に弾接するように傾ける回転モーメントを発生するガタ防止用バネが設けられ、前記当接部は前記軸線方向の延長線上に位置し、前記ガタ防止用バネは前記軸線方向からずれて、前記可動部材を前記幅方向に傾けるように前記操作軸と前記可動部材との間に掛け止められており、前記可動部材は前記ガイド部に弾接した状態で、前記ガタ防止用バネと共に直線的に移動するようにしたことを特徴とする直線操作型電気部品。
【請求項２】
前記ガタ防止用バネは一本の引っ張りバネから形成されていることを特徴とする請求項１に記載の直線操作型電気部品。
【請求項３】
前記可動部材は略矩形状をなし、前記ガイド部は前記可動部材を挟むように前記収納部に対向して一対設けられ、前記回転モーメントによって前記可動部材の前方側の角部及び後方側の角部がそれぞれ前記一対のガイド部に弾接していることを特徴とする請求項１、又は２に記載の直線操作型電気部品。
【請求項４】
前記ガイド部は上部ガイド部と下部ガイド部とを有し、前記可動部材は前記上部ガイド部に当接して摺動する上部摺接部と、この上部摺接部と反対の下方側に位置し前記下部ガイド部に当接して摺動する下部摺接部とを有し、前記回転モーメントによって、前記上部、下部摺接部が前記上部、下部ガイド部に当接するように押し付けられて前記可動部材の上下方向と幅方向の動きが規制されていることを特徴とする請求項１〜３の何れかに記載の直線操作型電気部品。
【請求項５】
前記上部ガイド部及び前記上部摺接部に傾斜面が設けられ、若しくは前記下部ガイド部及び前記下部摺接部に傾斜面が設けられていることを特徴とする請求項４に記載の直線操作型電気部品。
【請求項６】
前記検出手段は、前記可動部材に設けられた磁石と、前記ケースに設けられ前記磁石と対向したホール素子とで構成されていることを特徴とする請求項１〜５の何れかに記載の直線操作型電気部品。
【発明の詳細な説明】
【０００１】
【発明の属する技術分野】
本発明は、エンジンを搭載する自動車に備えられ、燃料と空気との混合比をコントロールするセンサや、排気ガスのリサイクル量をコントロールするセンサ等に使用して好適な直線操作型電気部品に関する。
【０００２】
【従来の技術】
従来の直線操作型電気部品の図面を説明すると、図６は従来の直線操作型電気部品の要部断面図、図７は従来の直線操作型電気部品のケースを図１のＸ１方向から見た図、図８は従来の直線操作型電気部品の可動部材の側面図、図９は従来の直線操作型電気部品の可動部材の上面図、図１０は従来の直線操作型電気部品に係るケースに可動部材を組み込んだ状態を示す図、図１１は従来の直線操作型電気部品の可動部材に働く力を説明する説明図である
【０００３】
従来の直線操作型電気部品を図６〜図１１に基づいて説明すると、ケース７０は、合成樹脂の成型品からなり収納部７０ｂを有する本体部７０ａと、該本体部７０ａから下方に突出して設けられたコネクタ部７０ｃとを有し、本体部７０ａの側壁部には軸孔７０ｄが形成されている。また、収納部７０ｂは、軸線Ｇ１方向に延びるように一対形成されたガイド部７０ｅを有し、このガイド部７０ｅは図７に示すように、平坦面からなる上部ガイド部７０ｆと、傾斜面からなる下部ガイド部７０ｇ、この上部ガイド部７０ｆと下部ガイド部７０ｇとを繋ぐ側部ガイド部７０ｈとから構成されている。また、収納部７０ｂは突起７０ｋを有するカバー７０ｍによって塞がれた状態になっている。
【０００４】
基板７１は、矩形状の絶縁基板からなり、表面に図示せぬ抵抗体が印刷形成されている。この基板７１は、図７に示すように、収納部７０ｂにガイドされて収納部７０ｂ内に固定されている。
【０００５】
操作軸７２は、棒状をなした合成樹脂の成型品からなり、軸孔７０ｄに軸線Ｇ１方向に直線操作可能に保持されている。
【０００６】
可動部材７３は、合成樹脂の成型品からなり、矩形状の基部７３ａと、基部７３ａから上方に突出して形成された凸部７３ｂと、基部７３ａの４角から突出して設けられた突起体７３ｃとを有し、この突起体７３ｃは、上部摺接部７３ｄと下部摺接部７３ｅと、この上部摺接部７３ｄと下部摺接部７３ｅとを繋ぐ側部摺接部７３ｆとから構成されている。また、基部７３ａは凹部７３ｇを有しており、基部７３ａの下面には金属製の摺動子７４がカシメつけられている。
【０００７】
このような可動部材７３は、ケース７０の収納部７０ｂに、突起体７３ｃがガイド部７０ｅにガイドされた状態で収納されており、凹部７３ｇに操作軸７２の端部が嵌合されて、可動部材７３は操作軸７２と共に、軸線Ｇ１方向に直線移動可能になっている。また、可動部材７３が収納されると摺動子７４が基板７１上に接するようになり、可動部材７３の移動に伴って摺動子７４が図示せぬ抵抗体上を摺動するようになって、可変電圧を出力するようになっている。
【０００８】
バネ部材７５は、コイルバネから構成され、カバー７０ｍの突起７０ｋで位置決めされた状態で、一端がカバー７０ｍに弾接し、他端が可動体７３の凸部７３ｂに弾接した状態になっている。そして、操作軸７３が押圧されると、バネ部材７５が撓み、押圧力が解除されると、バネ部材７５の復帰力によって可動部材７３及び操作軸７２が、復帰するようになっている。
【０００９】
操作軸７２及び可動部材７３は上記のようにケース７０に取り付けられているが、図１１に示すように、バネ部材７５が図１１の左方向へ押圧する第１の力Ｆ１と、操作軸７３が図１１の右方向へ押圧する第２の力Ｆ２と、摺動子７４が上方へ押圧する第３の力Ｆ３とが、可動部材７３に対して働く結果、この可動部材７３に対して回動力Ｆａ（≒第１の力Ｆ１−第３の力Ｆ３）がかかる。このとき第１の力Ｆ１が第３の力Ｆ３よりも大きいことから、可動部材７２は操作軸７２の一端を支点として図１０の矢視方向である反時計方向に回動する。
【００１０】
このように可動部材７３が回動すると、一方のガイド部７０ｅの上部ガイド部７０ｆに突起体７３ｃの上部摺接部７３ｄが弾接し、他方のガイド部７０ｅの下部ガイド部７０ｇに突起体７３ｃの下部摺接部７３ｅが弾接して、可動部材７３の上下方向の移動が規制される。また、側部摺接部７３ｆも一対のガイド部７０ｅの側部ガイド部７０ｈに弾接するので、軸線Ｇ１と図１０中左右方向に直交する幅方向の移動が規制される。
【００１１】
こうして、従来の直線操作型電気部品は、可動部材７３が上下、幅方向の移動が規制され、ガタのない状態で、直線操作されるものである。
【００１２】
【発明が解決しようとする課題】
従来の直線操作型電気部品は、上記の様な構成、動作をするが、操作軸７２が押し込まれていくと、バネ部材７５のバネ力（復帰力）が強くなり、第１の力Ｆ１が大きくなり、この第１の力Ｆ１が大きくなるにつれて、回動力Ｆａも大きくなる関係になっている。回動力Ｆａが大きくなると、突起体７３ｃとガイド部７０ｅとに加わるトルクが回動力Ｆａに比例して大きくなり、突起体７３ｃ及びガイド部７０ｅの摩耗が促進される。そして、繰り返し操作されることで、突起体７３ｃとガイド部７０ｅとの間のガタが大きくなり、可動部材７３の回動量が増加して、出力特性が悪化するという問題がある。
【００１３】
本発明はかかる課題に鑑みてなされたものであり、操作軸の押し込み量に関係なく、一定のトルクを、可動部材とガイド部との間に発生させて、長寿命で、出力特性が良好で信頼性の高い直線操作型電気部品を提供することを目的とする。
【００１４】
【課題を解決するための手段】
上記課題を解決するための第１の手段として、本発明の直線操作型電気部品は、軸線方向に直線的に移動可能な操作軸と、この操作軸の一端部に当接されこの操作軸によって直線的に移動可能に配設された可動部材と、この可動部材を初期位置へ復帰させるように付勢する復帰用バネと、前記可動部材を移動可能に収納する収納部を有するケースと、前記可動部材の移動によって操作される検出手段とを備え、前記収納部には、前記可動部材の移動をガイドするガイド部が形成され、前記操作軸と前記可動部材との間には、前記操作軸と前記可動部材との当接部を支点として前記可動部材を前記ガイド部に弾接するように傾ける回転モーメントを発生するガタ防止用バネが設けられ、前記当接部は前記軸線方向の延長線上に位置し、前記ガタ防止用バネは前記軸線方向からずれて、前記可動部材を前記幅方向に傾けるように前記操作軸と前記可動部材との間に掛け止められており、前記可動部材は前記ガイド部に弾接した状態で、前記ガタ防止用バネと共に直線的に移動するようにした構成とした。
【００１６】
また、第２の解決手段として、本発明の直線操作型電気部品の前記ガタ防止用バネは一本の引っ張りバネから形成された構成とした。
【００１７】
また、第３の解決手段として、本発明の直線操作型電気部品の前記可動部材は略矩形状をなし、前記ガイド部は前記可動部材を挟むように前記収納部に対向して一対設けられ、前記回転モーメントによって前記可動部材の前方側の角部及び後方側の角部がそれぞれ前記一対のガイド部に弾接している構成とした。
【００１８】
また、第４の解決手段として、本発明の直線操作型電気部品の前記ガイド部は上部ガイド部と下部ガイド部とを有し、前記可動部材は前記上部ガイド部に当接して摺動する上部摺接部と、この上部摺接部と反対の下方側に位置し前記下部ガイド部に当接して摺動する下部摺接部とを有し、前記回転モーメントによって、前記上部、下部摺接部が前記上部、下部ガイド部に当接するように押し付けられて前記可動部材の上下方向と幅方向の動きが規制されている構成とした。
【００１９】
また、第５の解決手段として、本発明の直線操作型電気部品の前記上部ガイド部及び前記上部摺接部に傾斜面が設けられ、若しくは前記下部ガイド部及び前記下部摺接部に傾斜面が設けられている構成とした。
【００２０】
また、第６の解決手段として、本発明の直線操作型電気部品の前記検出手段は、前記可動部材に設けられた磁石と、前記ケースに設けられ前記磁石と対向したホール素子とで構成されていることとした。
【００２１】
【発明の実施の形態】
本発明の直線操作型電気部品の図面について説明すると、図１は本発明の直線操作型電気部品を側面から見た要部断面図、図２は本発明の直線操作型電気部品の封止部材を取り除いた状態を示す正面図、図３は本発明の直線操作型電気部品を上面からみた要部断面図、図４は本発明の直線操作型電気部品に係る可動部材の動作を示す説明図、図５は本発明の直線操作型電気部品のガイド部と前後摺動部を示す要部正面図である。
【００２２】
本発明の直線操作型電気部品を図１〜図５に基づいて説明すると、合成樹脂の成型品からなるケース１には、図１中左方向に開放して設けられた第１の収納部１ａと、これとは反対側に開放して設けられた第２の収納部１ｂが形成されている。前記第１の収納部１ａには、軸線方向に直線的に移動可能に収納するガイド部１ｇと、このガイド部１ｇの両側で第１の収納部１ａ内の前後方向に延びる丸型の保持部１ｅとが設けられている。また、前記第１の収納部１ａの内底部には、後述する２本の復帰用バネ１１が係止されるバネ係止部１ｉが、それぞれ設けられている。
【００２３】
前記ガイド部１ｇは、図５に示すように、上部ガイド部１ｄ及び下部ガイド部１ｃとで形成されており、前記ガイド部１ｇは、中央部から幅方向の外方に行くに従って上下間の間隔が漸次狭くなって形成され、上部ガイド部１ｄ及び下部ガイド部１ｃが傾斜面にて構成されている。また、前記第１の収納部１ａの開放部を覆うように、封止部材２が取り付けられており、この封止部材２は中央に設けられた孔２ａを有し、第１の収納部１ａと連通した状態となっている。
【００２４】
絶縁基板３は、矩形状をなし、この絶縁基板３は、複数個の金属製の端子３ａと、この端子３ａに電気的に接続された状態でホールＩＣ４が取り付けられている。そして、この端子３ａは、前記ケース１に埋設されたＬ字状のコネクタ用のピン５の一端に半田付けされて、接続されている。また、前記第２の収納部１ｂの開放部を覆うように、封止部材６が取り付けられ、ケース１の一部をかしめて取り付けることにより第２の収納部１ｂが密封された状態となっている。
【００２５】
操作軸７は、合成樹脂の成型品からなり、円柱状の軸部７ａと、この軸部７ａの軸線Ｇ方向の後端部に設けられ、後述する可動部材８に当接する円弧状に膨出した凸部７ｂと、この凸部７ｂ近傍から前記軸線Ｇ方向と直角方向で可動部材８の幅方向の両外側部方向に延びる一対の延出腕部７ｃ、７ｃが形成されており、この延出腕部７ｃ、７ｃには、後述する復帰用バネ１１が当接されるものとなっている。また、一方の延出腕部７ｃには後述するガタ防止用バネ１２が掛け止められる掛け止め孔７ｄが形成されている。
【００２６】
このような操作軸７は、軸部７ａが封止部材２の孔２ａに挿通された状態で、第１の収納部１ａ内を軸線Ｇ方向に直線移動可能となっている。
【００２７】
可動部材８は、合成樹脂の成型品からなり、略矩形状に形成され、前方側の軸線Ｇ方向と直交する幅方向の両端部及び、後方側の幅方向における一端部の角部には、それぞれ上部及び下部摺接部８ｄ、８ｃが形成されている。そして、この上部及び下部摺接部８ｄ、８ｃとで形成された前方、後方摺動部８ｅ、８ｆは、中央部から幅方向の外方に行くに従って、上下間の厚みが漸次薄くなるように形成され、上部及び下部摺接部８ｄ、８ｃが傾斜面をなしている。
【００２８】
また、この可動部材８には、軸の中心より一方向にずらした位置に磁石９を取り付けるための下部が開口した取付孔８ｇが形成されている。磁石９は、軸線Ｇ方向にＮ極とＳ極とが着磁された矩形状をなし、この磁石９は、前記取付孔８ｇに上方から挿入されて、下部側をホールＩＣ４に対向させた状態で位置決め板１０によって固定される。そして、これら磁石９とホール素子４とで検出手段Ｋが構成され、可動部材８が直線運動することにより、磁石９は連動して、ホールＩＣ４の出力電圧値が変化するようになっている。また、この取付孔８ｇから軸線Ｇを越えた反対側には、後述するガタ防止用バネ１２が掛け止められる掛け止め腕８ｈが形成されている。
【００２９】
ガタ防止用バネ１２は、コイルバネから構成され、引っ張りバネとなっており、このガタ防止用バネ１２は、一端が操作軸７の掛け止め孔７ｄに掛け止められ、他端が可動部材８の掛け止め腕８ｈに掛け止められて、操作軸７と可動部材８とを繋いでいる。
【００３０】
復帰用バネ１１は、同じ仕様の２個のコイルバネから構成され、圧縮バネとなっており、ケース１の保持部１ｅに収納されて一端がバネ係止部１ｉに、他端が操作軸７の延出腕部７ｃに係止されている。そして、この復帰用バネ１１によって操作軸７が前方に押圧されて、この操作軸７は軸線Ｇ方向で復帰するようになっている。
【００３１】
このように、ガタ防止用バネ１２及び復帰用バネ１１が配設されるが、ガタ防止用バネ１２は、図４に示すように、前記可動部材８を軸線Ｇからずれた位置で操作軸７に対して引っ張るようにしてあることから、可動部材８には、可動部材８の幅方向の中心位置から前後方向に延びる中心線Ｚが軸線Ｇ方向に対して傾くような回転モーメントＭ（回転力）が発生し、可動部材８は、操作軸７の凸部７ｂとの当接部Ｐ（軸線Ｇ方向の延長線上に位置する）を支点として幅方向の面でピボット運動をして回動し、中心線Ｚが操作軸７の軸線方向Ｇに対して傾いた状態となる。尚、ガタ防止用バネ１２は可動部材８を傾ければ良いので、バネ係数が小さく設定されている。
【００３２】
このように可動部材８に回転モーメントＭが発生すると、可動部材８の左側に位置する前方摺動部８ｅは、図５に示すように、幅方向である矢印Ｙ方向に回動して上部ガイド部１ｄと下部ガイド部１ｃとの間に押し込まれるようになり、その結果、それぞれ傾斜面からなる上部ガイド部１ｄと上部摺接部８ｄ、及び下部ガイド部１ｃと下部摺接部８ｃとが当接した状態でお互いの傾斜面に沿って押し込まれるものとなる。このため、前記可動部材８は、上部ガイド部１ｄと下部ガイド部１ｃによって上下方向のガタツキが防止され、更に、上部ガイド部１ｄと下部ガイド部１ｃとで挟まれた状態となって、左右方向（幅方向）のガタツキも防止されるものとなる。
【００３３】
また、前記可動部材８に回転モーメントＭが発生すると、可動部材８の後方側の一端の角部に位置する後方摺動部８ｆは、図５に示すように、幅方向である矢印Ｘ方向に回動して上部ガイド部１ｄと下部ガイド部１ｃとの間に押し込まれるようになり、その結果、それぞれ傾斜面からなる上部ガイド部１ｄと上部摺接部８ｄ、及び下部ガイド部１ｃと下部摺接部８ｃとが当接した状態でお互いの傾斜面に沿って押し込まれるものとなる。このため、前記可動部材８は、上部ガイド部１ｄと下部ガイド部１ｃによって上下方向のガタツキが防止され、更に、上部ガイド部１ｄと下部ガイド部１ｃとで挟まれた状態となって、左右方向（幅方向）のガタツキも防止されるものとなる。
【００３４】
また、前記操作軸７の軸線方向の移動を復帰させる復帰用バネ１１を、同じ仕様の２個のコイルバネから構成すると共に、軸線Ｇ方向と直角方向で可動部材８の幅方向に延びる一対の延出腕部７ｃ、７ｃにこの復帰用バネ１１を当接させて、この復帰用バネ１１が可動部材８の幅方向の両外側部に軸線Ｇ方向に平行して対向するように配設されるようになっているので、操作軸７の押圧時における押圧力のバランスが良好となり、良好な操作感触が得られるものとなっている。さらに、この復帰用バネ１１は、操作軸７の軸線Ｇ方向に直交する幅方向に延びる線Ｗ（図２参照）上の位置に配置されており、操作軸７の押圧時におけるバランスがさらに良好となるようになっている。
【００３５】
また、前記可動部材８に回転モーメントＭを加えるのに、操作軸７の移動を復帰させるコイルバネからなる復帰用バネ１１とは別個の引っ張りバネからなるガタ防止用バネ１２を使用するようにしたので、復帰用バネ１１に関係なく可動部材８に回転モーメントＭを加えることができる。更に、ガタ防止用バネ１２は、引っ張りバネなので、操作軸７によって可動部材８が押し込まれても、このガタ防止バネ１２のバネ力が変化（増大）することがなく、上部、下部摺接部８ｄ、８ｃが、一定のトルクで、上部、下部ガイド部１ｄ、１ｃに押し込まれて弾接するので、可動部材８のとガイド部１ｇとが摩耗する恐れが著しく低減され、出力特性が安定する。また、ガタ防止用バネ１２は、掛け止めれば良いので、簡単な構成で、取付作業性の良い、安価で生産性の良好な構造が得られるものとなっている。
【００３６】
また、可動部材８に回転モーメントＭが発生すると、可動部材８の前方摺動部８ｅと後方摺動部８ｆの上部、下部摺接部８ｄ、８ｃは、傾斜面からなる前記上部ガイド部１ｄと下部ガイド部１ｃとに挟まれた状態で、弾接状態で摺動し、可動部材８は上下方向にガタツクことなく摺動することから、ホールＩＣ４と磁石９の垂直方向（上下方向）の距離を一定の間隔に保つことができる。従って、可動部材８の安定した保持ができ、振動が加わったとしても出力値が変動せず、そして、磁石９の移動に伴って、直線性に優れた出力値を得ることができるものとすることができる。
【００３７】
次に本発明の直線操作型電気部品の動作について説明すると、例えば自動車のペダルが踏まれて操作軸７が押圧されると、復帰用バネ１１に抗して操作軸７が押し込まれ、復帰用バネ１１が収縮する。また、この操作軸７に押圧されて、この操作軸と共に可動部材８も直線移動して、磁石９の位置が変更することによりホールＩＣ４の出力電圧値が変化して、位置検出を行うセンサとして機能する。そして、ペダルの押圧が解除され操作軸７への押圧力がキャンセルされると、復帰用バネ１１が復帰して、操作軸７が元の位置に復帰して、可動部材８もガタ防止用バネ１２に引っ張られて元の位置に直線移動して、結果として磁石９の位置も元に戻りホールＩＣ４の出力電圧値も元に戻る。
【００３８】
本発明の直線操作型電気部品は上記のような構成をなし、動作をするが、上記構成に限られないことは言うまでもなく、本実施の形態では、ガタ防止用バネ１２は引っ張りバネで構成したが、圧縮バネから構成して、可動部材８と操作軸７とを常時付勢するようにしても良い。また、本実施の形態ではガタ防止用バネ１２は、軸線Ｇ方向と略平行にずれて配置されているが、この軸線Ｇと交差して配置されていても良い。また、本実施の形態ではガタ防止用バネ１２は一本からなる形態で説明したが、バネ力の異なる２本のコイルバネから構成して、可動部材８に回転モーメントを加える様にしても良い。
【００３９】
また、上記実施の形態では、磁気式の非接触式センサとして説明しているが、従来例で挙げたように、可動部材８に摺動子を設けると共に、絶縁基板３に抵抗体を形成して検出手段を構成するようにして、接触式のセンサに適用しても良い。
【００４０】
【発明の効果】
本発明の直線操作型電気部品の収納部には、可動部材の移動をガイドするガイド部が形成され、操作軸と可動部材との間には、操作軸と可動部材との当接部を支点として可動部材を傾ける回転モーメントを発生するガタ防止用バネが設けられ、可動部材はガイド部に弾接した状態で、ガタ防止用バネと共に直線的に移動するようにした構成としたため、操作軸の押し込み量に関係なく、一定のトルクを、可動部材とガイド部との間に発生させることができるので、可動部材とガイド部との摩耗の恐れが著しく低減し、長寿命で、出力特性が安定した信頼性の高い直線操作型電気部品を提供することができる。
【００４１】
また、本発明の直線操作型電気部品の当接部は軸線方向の延長線上に位置し、ガタ防止用バネは軸線方向からずれて、可動部材を幅方向に傾けるように配設されている構成としたため、簡単な構成で可動部材に回転モーメントを加えることができる。
【００４２】
また、本発明の直線操作型電気部品のガタ防止用バネは一本の引っ張りバネから構成され、操作軸と可動部材との間に掛け止められている構成としたため、簡単な構成で、確実に一定の回転モーメントを可動部材に加えることができる。
【００４３】
また、本発明の直線操作型電気部品の可動部材は略矩形状をなし、ガイド部は可動部材を挟むように収納部に対向して一対設けられ、回転モーメントによって可動部材の前方側の角部及び後方側の角部がそれぞれ一対のガイド部に弾接している構成としたため、可動部材を一対のガイド部でガイドすることができ、確実にガイドすることが可能となる。
【００４４】
また、本発明の直線操作型電気部品のガイド部は上部ガイド部と下部ガイド部とを有し、可動部材は上部ガイド部に当接して摺動する上部摺接部と、下部ガイド部に当接して摺動する下部摺接部とを有し、回転モーメントによって、上部、下部摺接部が上部、下部ガイド部に当接するように押し付けられて可動部材の上下方向と幅方向の動きが規制されている構成としたため、可動部材の幅方向、上下方向のガタツキが防止されるので、出力特性が安定した信頼性の高い直線操作型電気部品を提供することができる。
【００４５】
また、本発明の直線操作型電気部品の上部ガイド部及び上部摺接部に傾斜面が設けられ、若しくは下部ガイド部及記下部摺接部に傾斜面が設けられている構成としたため、それぞれ傾斜面からなる上部ガイド部と上部摺接部、及び下部ガイド部と下部摺接部とが当接した状態でお互いの傾斜面に沿って押し込まれるものとなり、可動部材は、上部ガイド部と下部ガイド部によって上下方向のガタツキが防止され、更に、上部ガイド部と下部ガイド部とで挟まれた状態となって、左右方向（幅方向）のガタツキも防止でき、上下方向、左右方向のガタツキの防止が効率よく、確実に行うことができる。
【００４６】
本発明の直線操作型電気部品の検出手段は、可動部材に設けられた磁石と、ケースに設けられ磁石と対向したホール素子とで構成されていることとしたため、本発明を磁気式の非接触センサに好適に適用することができる。
【図面の簡単な説明】
【図１】本発明の直線操作型電気部品を側面から見た要部断面図
【図２】本発明の直線操作型電気部品の封止部材を取り除いた状態を示す正面図
【図３】本発明の直線操作型電気部品を上面からみた要部断面図
【図４】本発明の直線操作型電気部品に係る可動部材の動作を示す説明図
【図５】本発明の直線操作型電気部品のガイド部と前後摺動部を示す要部正面図
【図６】従来の直線操作型電気部品の要部断面図
【図７】従来の直線操作型電気部品のケースを図１のＸ１方向から見た図
【図８】従来の直線操作型電気部品の可動部材の側面図
【図９】従来の直線操作型電気部品の可動部材の上面図
【図１０】従来の直線操作型電気部品に係るケースに可動部材を組み込んだ状態を示す図
【図１１】従来の直線操作型電気部品の可動部材に働く力を説明する説明図
【符号の説明】
１  ケース
１ａ  第１の収納部
１ｂ  第２の収納部
１ｃ  下部ガイド部
１ｄ  上部ガイド部
１ｅ  保持部
１ｇ  ガイド部
１ｉ  バネ係止部
２  封止部材
２ａ  孔
３  絶縁基板
３ａ  端子
４  ホールＩＣ
５  ピン
６  封止部材
７  操作軸
７ａ  軸部
７ｂ  凸部
７ｃ  延出腕
７ｄ  掛け止め孔
８  可動部材
８ｃ  下部摺接部
８ｄ  上部摺接部
８ｅ  前方摺動部
８ｆ  後方摺動部
８ｇ  取付孔
８ｈ  掛け止め腕
９  磁石
１０  位置決め板
１１  復帰用バネ
１２  ガタ防止用バネ
Ｇ  軸線
Ｋ  検出手段
Ｍ  回転モーメント
Ｐ  当接部
Ｘ、Ｙ  幅方向
Ｗ  線
Ｚ  中心線
【図１】
0003872662.tif 000002
【図２】
0003872662.tif 000003
【図３】
0003872662.tif 000004
【図４】
0003872662.tif 000005
【図５】
0003872662.tif 000006
【図６】
0003872662.tif 000007
【図７】
0003872662.tif 000008
【図８】
0003872662.tif 000009
【図９】
0003872662.tif 000010
【図１０】
0003872662.tif 000011
【図１１】
0003872662.tif 000012